(57)【要約】【課題】水密性が良好で、基礎貫通部材の可撓管の上端の位置を低く設定しても水密性を損なう心配がない、施工性に優れた、排水管の配管構造を提供する。【解決手段】両端部に硬質直管部２ａ，２ｂを備えた可撓管２と硬質のさや管１とからなる基礎貫通部材を用いた排水管の配管構造であって、さや管１を家屋の基礎コンクリート３を貫通するように埋設し、さや管の両端開口部１ａ，１ｂを基礎コンクリートの外側面３ａと内側水平面３ｂに露出させ、さや管１に可撓管２を挿通すると共に、基礎コンクリートの外側面３ａに露出したさや管１の一端の開口部１ａに環状の防水パッキン６を取付けて、防水パッキン６の内周円を可撓管２の一端の硬質直管部２ａに弾接させ、可撓管２の両端の硬質直管部２ａ，２ｂに屋外排水管５ａと屋内排水管５ｂをそれぞれ管継手４ａ，４ｂを介して接続した配管構造とする。【選択図】　図１
2004044170.tif 000002
【特許請求の範囲】
【請求項１】
両端に硬質直管部を備えた可撓管と硬質のさや管とからなる基礎貫通部材の該さや管を、家屋の基礎コンクリートを貫通するように埋設して、さや管の両端の開口部を基礎コンクリートの外側面と内側水平面に露出させ、さや管に可撓管を挿通すると共に、基礎コンクリートの外側面に露出したさや管の一端の開口部に環状の防水パッキンを取付けて、防水パッキンの内周縁を可撓管の一端の硬質直管部に弾接させ、可撓管の両端の硬質直管部に屋外排水管と屋内排水管をそれぞれ管継手を介して接続したことを特徴とする、基礎貫通部材を用いた排水管の配管構造。
【請求項２】
環状の防水パッキンを保持リングに嵌着固定し、この保持リングをさや管の一端の開口部に接着したことを特徴とする請求項１に記載の配管構造。
【請求項３】
環状の防水パッキンがその内周面に複数の内鍔部を有し、各内鍔部の内周縁が可撓管の一端の硬質直管部に弾接していることを特徴とする請求項１に記載の配管構造。
【発明の詳細な説明】
【０００１】
【発明の属する技術分野】
本発明は、基礎貫通部材を用いた排水管の配管構造に関する。
【０００２】
【従来の技術】
近年、床下に排水ヘッダーを設置し、この排水ヘッダーに浴室、洗面台、台所等からの排水管を接続して各排水を合流させ、家屋の基礎コンクリートに埋設した基礎貫通部材に排水ヘッダーからの排水管を接続して屋外に排水するようにした配管構造を採用する家屋が出現した。このような配管構造を採用すると、屋外に設置する排水桝の個数を従来の半数以下に削減して大幅なコストダウンと屋外の美観の向上を図ることができるため、今後、急激に普及するものと思われる。
【０００３】
図９は上記配管構造の一例を示す要部断面図であって、４５°に曲ったさや管１０１と湾曲自在な可撓管１０２とからなる基礎貫通部材の該さや管１０１を、家屋の基礎コンクリート１０３を貫通するように埋設し、その内側に可撓管１０２を挿通している。さや管１０１の一端の開口部は、基礎コンクリート１０３の外側面１０３ａに面一に露出させてあり、さや管１０１の他端の開口部は、打設するコンクリートがさや管内に入らないように基礎コンクリート１０３の内側水平面１０３ｂから斜め上方へ５０ｍｍ以上突出させている。また、可撓管１０２は、その両端に接続用のソケット１０４ａ，１０４ｂを取付けたもので、一端のソケット１０４ａと基礎コンクリートの外側面１０３ａに露出したさや管１０１の一端の開口部との間に防水パッキン１０５を押し込むことによって、屋外からの水の侵入を防止している。そして、可撓管１０２の一端のソケット１０４ａに屋外排水管１０６を接続し、他端のソケット１０４ｂに排水ヘッダー（不図示）からの屋内排水管１０７を片受けエルボ１０４ｃ（片側が受口で反対側が差込口になっているエルボ継手）を介して接続している。
【０００４】
【発明が解決しようとする課題】
しかしながら、上記の配管構造では、可撓管１０２の一端のソケット１０４ａと、基礎コンクリートの外側面１０３ａに露出したさや管１０１の一端の開口部との間に防水パッキン１０５を押し込んで装着するとき、可撓管１０２も押されてさや管１０１の中に逃げやすいため、可撓管１０２の一端のソケット１０４ａと防水パッキン１０５とさや管１０１の一端の開口部とが互いに面一となるように防水パッキン１０５を正確に装着することが容易でなく、防水パッキン１０５の装着不良によって水密性の低下を招く恐れがあった。
【０００５】
また、上記の配管構造では、屋内排水管１０７に連なる片受けエルボ１０４ｃを可撓管１０２の他端のソケット１０４ｂに差し込む際にも、可撓管１０２がさや管１０１の中へ逃げやすく、片受けエルボ１０４ｃをきちんと差し込もうとして強く押し込むと、可撓管１０２の一端のソケット１０４ａがさや管１０１の一端開口部から突き出して防水パッキン１０５が外れてしまい、水密性を保つことができないという問題があった。
【０００６】
更に、上記の配管構造では、浴室、洗面台、台所等からの排水管を所定の勾配をつけて排水ヘッダーに接続する必要があり、排水ヘッダーからの屋内排水管１０７も所定の勾配をつけて可撓管１０２に接続する必要があるため、可撓管１０２の他端のソケット１０４ｂの位置をできるだけ低く設定しなければならない。そこで、基礎コンクリートの内側水平面１０３ｂから突出するさや管１０１の他端開口部をほぼ内側水平面１０３ｂに合わせて切断し、両端にソケット１０４ａ，１０４ｂを取付けた可撓管１０２は切断できないので斜め上から可撓管１０２をさや管１０１に押し込むことにより、可撓管１０２の他端のソケット１０４ｂの位置を低く設定することがある。けれども、このようにすると、可撓管１０２の一端がソケット１０４ａと共にさや管１０１の一端開口部から突き出して防水パッキン１０５が外れるため、水密性が損なわれるという問題があった。
【０００７】
本発明は上記の問題に対処すべくなされたもので、その目的とするところは、水密性が良好で、可撓管の他端（上端）の位置を低く設定しても水密性を損なう心配がない、施工性に優れた配管構造を提供することにある。
【０００８】
【課題を解決するための手段】
上記目的を達成するため、本発明に係る基礎貫通部材を用いた排水管の配管構造は、両端に硬質直管部を備えた可撓管と硬質のさや管とからなる基礎貫通部材の該さや管を、家屋の基礎コンクリートを貫通するように埋設して、さや管の両端の開口部を基礎コンクリートの外側面と内側水平面に露出させ、さや管に可撓管を挿通すると共に、基礎コンクリートの外側面に露出したさや管の一端の開口部に環状の防水パッキンを取付けて、防水パッキンの内周縁を可撓管の一端の硬質直管部に弾接させ、可撓管の両端の硬質直管部に屋外排水管と屋内排水管をそれぞれ管継手を介して接続したことを特徴とするものである。
【０００９】
この配管構造のように、基礎コンクリートの外側面に露出するさや管の一端の開口部に環状の防水パッキンを取付けてその内周縁を可撓管の一端の硬質直管部に弾接させると、良好な水密性が確保される。そして、後で詳しく説明するように、基礎コンクリートの内側水平面から突き出すさや管の他端（上端）を切断し、可撓管を押し込んで可撓管の上端の位置を低く設定した場合は、可撓管の一端の硬質直管部が防水パッキンの内側を摺動してさや管の一端開口部から突出するけれども、防水パッキンはさや管の一端開口部に取付けられているため外れることがなく、防水パッキンの内周縁が可撓管一端の硬質直管部に弾接した状態を維持するため、良好な水密性が保たれる。また、可撓管の他端（上端）の硬質直管部は切断自在であるため、この硬質直管部を切断して可撓管の全長を短くすることにより、さや管の一端開口部から突き出す可撓管一端の硬質直管部の突出寸法を小さくすることができる。
【００１０】
上記の配管構造においては、環状の防水パッキンを保持リングに嵌着固定し、この保持リングをさや管の一端の開口部に接着することが好ましく、このようにすると、防水パッキンの取付作業が容易になり、施工性が更に向上する。
【００１１】
また、上記の配管構造においては、環状の防水パッキンがその内周面に複数の内鍔部を有し、各内鍔部の内周縁が可撓管の一端の硬質直管部に弾接していることが好ましく、このようにすると、各内鍔部によって多重にシールされるため、水密性が更に向上する。
【００１２】
【発明の実施の形態】
以下、図面を参照して本発明の具体的な実施形態を詳述する。
【００１３】
図１は本発明の一実施形態に係る基礎貫通部材を用いた排水管の配管構造を示す要部断面図、図２は同配管構造における基礎貫通部材の端部を拡大した断面図、図３、図４、図５、図６は基礎貫通部材の可撓管の他端（上端）の位置を低く設定する要領を順次説明するための断面図、図７は同配管構造に用いる基礎貫通部材の可撓管の一部破断側面図、図８は他の可撓管の一部破断側面図である。
【００１４】
この配管構造に使用される基礎貫通部材は、硬質の合成樹脂で一体成形されたさや管１と、両端に硬質直管部２ａ，２ｂを備えた湾曲自在な合成樹脂製の可撓管２とで構成されている。
【００１５】
基礎貫通部材のさや管１は、その中間部が略４５°に湾曲したもので、家屋の基礎コンクリート３を貫通するように埋設されており、さや管１の一端の開口部１ａが基礎コンクリート３の外側面３ａに、さや管１の他端の開口部１ｂが基礎コンクリート３の内側水平面３ｂに、それぞれ露出している。さや管１の他端の開口部１ｂは、後述するように、可撓管２の他端の硬質直管部２ｂに接続されるエルボ継手４ｂの位置をできるだけ低くするために、基礎コンクリートを打設した後に内側水平面３ｂに沿って切断されている。
【００１６】
基礎貫通部材の可撓管２は、図７に示すように、軟質ポリ塩化ビニル等の軟質樹脂よりなる幅広の帯体を螺旋状に巻き付けて内管２０を形成すると共に、この内管２０の外周面に、硬質ポリ塩化ビニル等の硬質樹脂よりなる幅狭の帯体２１を一定のピッチ間隔をあけて螺旋状に巻き付けることにより、フレキシブルで湾曲自在な管としたものであって、この可撓管２の両端部は、硬質樹脂の帯体２１を間隔があかないように詰めて巻き付け、その外周面に凹凸があるときはそれが残らないように切削加工することによって、屋外排水管５ａや屋内排水管５ｂと同一の外径を有する硬質直管部２ａ，２ｂとしたものである。
【００１７】
この他、図８に示すような可撓管２、即ち、環状の山部２２と環状の谷部２３を交互に連成した合成樹脂製のフレキシブルなコルゲート管の両端に、屋外排水管５ａや屋内排水管５ｂと同一の外径を有する硬質直管部２ａ，２ｂを一体に形成したものも、使用することができる。
【００１８】
図１、図２に示すように、基礎コンクリート３の外側面３ａに露出したさや管１の一端の開口部１ａには、合成ゴム製の環状の防水パッキン６を保持する保持リング７が挿入されて接着剤で接着されている。この防水パッキン６は保持リング７の先端フランジ部７ａを抱き込むように嵌着固定され、パッキン内周面に複数（三つ）形成された内鍔部６ａの内周縁が可撓管２の一端の硬質直管部２ａに弾接している。
【００１９】
上記のようにして防水パッキン６をさや管１の一端開口部１ａに取付けると、取付作業が容易であるため施工性が向上し、可撓管２の一端の硬質直管部２ａがさや管１の一端開口部１ａから突き出しても、防水パッキン６が外れることはなく、しかも、三つの内鍔部６ａによって三重にシールされるため、さや管１と可撓管２との間の水密性が大幅に向上する。
【００２０】
可撓管２の他端（上端）の硬質直管部２ｂには、排水ヘッダー（不図示）から一定の流れ勾配をもって配管された屋内排水管５ｂが、４５°エルボ継手４ｂを介して接続されており、該排水ヘッダーには、浴室、洗面台、台所等から一定の流れ勾配をもって配管された各排水管（不図示）が接続されている。そして、可撓管２の一端の硬質直管部２ａには、屋外の排水桝８に通じる屋外排水管５ａが９０°エルボ継手４ａを介して接続されている。従って、浴室、洗面台、台所等からの排水は排水ヘッダーに導入されて合流し、屋内排水管５ｂ、可撓管２、屋外排水管５ａ、排水桝８を経て下水管へ排水されることになる。
【００２１】
上記の配管構造では、浴室、洗面台、台所等からの各排水管や、排水ヘッダーからの屋内排水管５ｂに一定の流れ勾配をつけるために、屋内排水管５ｂと可撓管２の他端（上端）の硬質直管部２ｂを接続する４５°エルボ継手４ｂの位置をできるだけ低く設定することが必要になるが、次の要領で施工することにより簡単に４５°エルボ継手４ｂの位置を低くすることができる。
【００２２】
まず、図３に示すように、基礎貫通部材のさや管１を基礎コンクリート３を貫通するように埋設する。その場合、さや管１の上端の開口部１ｂが基礎コンクリートの内側水平面３ｂから少なくとも５０ｍｍ以上突き出すこととなるようにさや管１を設置して、打設コンクリートが上端の開口部１ｂからさや管１内へ入らないようにする。そして、埋設されたさや管１の内部に可撓管２を挿通し、防水パッキン６を嵌着固定した保持リング７をさや管１の一端開口部１ａに接着して防水パッキン６の内鍔部６ａを可撓管２一端の硬質直管部２ａに弾接させることにより、水密性を確保する。
【００２３】
次いで、図４に示すように、さや管１の他端（上端）を基礎コンクリート３の内側水平面３ｂに沿って水平に切断すると共に、可撓管２の他端（上端）の硬質直管部２ｂも、４５°エルボ継手４ｂを接続できるだけの長さに切断する。
【００２４】
そして、図５に示すように、切断した可撓管２の他端（上端）の硬質直管部２ｂに４５°エルボ継手４ｂを接続し、可撓管２をさや管１の内部に押し込むことによって、４５°エルボ継手４ｂの位置を図６に示すように基礎コンクリートの内側水平面３ｂのぎりぎりの高さまで下げる。このように可撓管２をさや管１に押し込むと、図６に示すように、可撓管２の一端の硬質直管部２ａはさや管１の一端開口部１ａから外側へ突き出すが、防水パッキン６は保持リング７によって外れないように保持されているため、水密性が損なわれる心配はない。
【００２５】
上記のように、４５°エルボ継手４ｂの位置を基礎コンクリート３の内側水平面３ｂのぎりぎりの高さまで下げると、浴室、洗面台、台所等からの各排水管や排水ヘッダーからの屋内排水管５ｂが多少長くなっても、余裕をもって流れ勾配をつけることが可能となる。
【００２６】
以上、一実施形態を挙げて本発明の配管構造を説明したが、本発明はこの実施形態に限定されるものではなく、例えば、基礎コンクリート３が深い場合には、中間部が略４５°湾曲したさや管１に代えて、略９０°湾曲したさや管を使用するなど、種々の設計的変更を許容するものである。
【００２７】
【発明の効果】
本発明の基礎貫通部材を用いた排水管の配管構造は、水密性が良好で、可撓管の他端（上端）の位置を低く設定しても防水パッキンが外れないので水密性を損なう心配がなく、施工性が良いといった効果を奏する。
【図面の簡単な説明】
【図１】本発明の一実施形態に係る基礎貫通部材を用いた排水管の配管構造を示す要部断面図である。
【図２】同配管構造における基礎貫通部材の端部を拡大した断面図である。
【図３】基礎貫通部材の可撓管の他端（上端）の位置を低く設定する要領を順次説明するための断面図であって、さや管に可撓管を挿入し、さや管の一端に防水パッキンを取付けた状態を示すものである。
【図４】基礎貫通部材の可撓管の他端（上端）の位置を低く設定する要領を順次説明するための断面図であって、さや管の他端（上端）を切断すると共に、可撓管の他端（上端）の硬質直管部を切断した状態を示すものである。
【図５】基礎貫通部材の可撓管の他端（上端）の位置を低く設定する要領を順次説明するための断面図であって、切断した可撓管他端（上端）の硬質直管部にエルボ継手を差込接続した状態を示すものである。
【図６】基礎貫通部材の可撓管の他端（上端）の位置を低く設定する要領を順次説明するための断面図であって、可撓管を斜め上方からさや管の中に押し込んだ状態を示すものである。
【図７】同配管構造に用いる基礎貫通部材の可撓管の一部破断側面図である。
【図８】他の可撓管の一部破断側面図である。
【図９】従来の配管構造の一例を示す要部断面図である。
【符号の説明】
１　さや管
１ａ　さや管の一端の開口部
１ｂ　さや管の他端の開口部
２　可撓管
２ａ　可撓管の一端の硬質直管部
２ｂ　可撓管の他端の硬質直管部
３　基礎コンクリート
３ａ　基礎コンクリートの外側面
３ｂ　基礎コンクリートの内側水平面
４ａ，４ｂ　管継手（エルボ継手）
５ａ　屋外排水管
５ｂ　屋内排水管
６　防水パッキン
６ａ　防水パッキンの内鍔部
７　保持リング
【図１】
2004044170.tif 000003
【図２】
2004044170.tif 000004
【図３】
2004044170.tif 000005
【図４】
2004044170.tif 000006
【図５】
2004044170.tif 000007
【図６】
2004044170.tif 000008
【図７】
2004044170.tif 000009
【図８】
2004044170.tif 000010
【図９】
2004044170.tif 000011